(57)【特許請求の範囲】
【請求項１】
ユーザに、撮影、および撮影した画像の編集を行わせ、編集済みの前記画像が印刷されたシールシートを前記ユーザに提供する画像印刷装置において、
撮影空間において、被写体を撮影する撮影手段と、
前記撮影空間と異なる位置に設けられた編集空間において、前記撮影手段により撮影された前記被写体の画像のうち、編集対象画像として選択された前記被写体の画像、および前記被写体の画像の編集に用いられる画像編集画面を表示し、編集入力を受け付ける表示手段と、
前記表示手段により表示された前記画像編集画面に基づいて、入力された前記編集入力に従って前記被写体の画像を編集する編集手段と、
イエロー、マゼンタ、シアン、またはブラックを含むカラー印刷を行うカラー印刷ユニット、並びに、ゴールド、シルバー、プラチナ、または蛍光色を含む特殊色印刷を行う特殊色印刷ユニットを有し、前記カラー印刷ユニットにおいて、前記被写体の画像および前記編集入力に対応する画像の内、前記カラー印刷可能な色の画像を、前記カラー印刷に対応する色のインクが配列されたリボンシートを用いて所定の印刷媒体に印刷し、前記特殊色印刷ユニットにおいて、前記編集入力に対応する画像の内、前記特殊色印刷可能な色の画像を、前記特殊色印刷に対応する色のインクが配列されたリボンシートを用いて前記印刷媒体に印刷する印刷手段と、
前記印刷手段に設置された前記リボンシートが有するインクの色の情報を入力する入力手段と
を備え、
前記印刷手段に設置された前記リボンシートが有するインクの色が変更された場合、前記表示手段は、前記画像編集画面の色選択欄において、前記入力手段により入力された前記インクの色を前記ユーザが選択可能な状態で表示し、さらに、前記画像編集画面において、前記ユーザが選択可能な色が変更されたことを示すメッセージを表示する
ことを特徴とする画像印刷装置。
【請求項２】
前記リボンシートが有するインクの色である前記特殊色の残量が無くなった場合、前記表示手段は、前記色選択欄に前記特殊色が表示されないようにして前記画像編集画面を表示する
ことを特徴とする請求項１に記載の画像印刷装置。
【請求項３】
前記リボンシートが有するインクの色である前記特殊色の残量が無くなった場合、前記表示手段は、前記色選択欄に表示されている前記特殊色が選択できないようにして前記画像編集画面を表示する
ことを特徴とする請求項１または２に記載の画像印刷装置。
【請求項４】
前記カラー印刷ユニット、若しくは前記特殊色印刷ユニットの状態が異常になった場合、または、前記リボンシートが有する前記インクのいずれかの色の残量が無くなった場合、前記表示手段は、それらの異常内容を示す情報を前記画像編集画面に表示する
ことを特徴とする請求項１乃至３のいずれかに記載の画像印刷装置。
【請求項５】
前記印刷手段に新たに設置された前記リボンシートが有する前記インクの色、および量を検知する検知手段をさらに備え、
前記入力手段は、前記検知手段により検知された前記インクの色の情報、および前記インクの量の情報を入力する
ことを特徴とする請求項１乃至４のいずれかに記載の画像印刷装置。
【請求項６】
前記検知手段は、前記印刷手段に新たに設置された前記リボンシートが有する前記インクの色、および前記インクの量を、前記リボンシートに付加された、前記リボンシートが有する前記インクの色を識別する情報である色識別情報、および前記インクの量の情報である量情報を電子的に記憶している制御タグより検知する
ことを特徴とする請求項５に記載の画像印刷装置。
【請求項７】
前記画像印刷装置の管理者が入力する、前記印刷手段によるテスト印刷の実行指示入力、および前記テスト印刷を行うインクの色に関する指示入力を受け付ける受付手段をさらに備え、
前記印刷手段は、前記受付手段により受け付けられた前記テスト印刷の実行指示入力に基づいて、前記インクの色に関する指示入力により指示された色によりテスト印刷を行う
ことを特徴とする請求項１乃至６のいずれかに記載の画像印刷装置。
【請求項８】
ユーザに、撮影、および撮影した画像の編集を行わせ、編集済みの前記画像が印刷されたシールシートを前記ユーザに提供する画像印刷装置の画像印刷方法において、
撮影空間において被写体の撮影を制御する撮影制御ステップと、
前記撮影空間と異なる位置に設けられた編集空間において、前記撮影制御ステップの処理により制御されて撮影された前記被写体の画像のうち、編集対象画像として選択された前記被写体の画像、および前記被写体の画像の編集に用いられる画像編集画面を表示し、編集入力を受け付けるように制御する第１の表示制御ステップと、
前記第１の表示制御ステップの処理により制御されて表示された前記画像編集画面に基づいて入力された前記編集入力に従って、前記被写体の画像を編集する編集ステップと、
イエロー、マゼンタ、シアン、またはブラックを含むカラー印刷を行うカラー印刷ユニット、並びに、ゴールド、シルバー、プラチナ、または蛍光色を含む特殊色印刷を行う特殊色印刷ユニットを有する印刷部を用いて、前記カラー印刷ユニットにおいて、前記被写体の画像および前記編集入力に対応する画像の内、前記カラー印刷可能な色の画像を、前記カラー印刷に対応する色のインクが配列されたリボンシートを用いて所定の印刷媒体に印刷し、前記特殊色印刷ユニットにおいて、前記編集入力に対応する画像の内、前記特殊色印刷可能な色の画像を、前記特殊色印刷に対応する色のインクが配列されたリボンシートを用いて前記印刷媒体に印刷するように制御する印刷制御ステップと、
前記印刷部に設置された前記リボンシートが有するインクの色の情報の入力を制御する入力制御ステップと、
前記印刷部に設置された前記リボンシートが有するインクの色が変更され、前記入力制御ステップの処理により制御されて新たな色の情報が入力された場合、前記第１の表示制御ステップの処理により制御されて表示された前記画像編集画面の色選択欄において、前記インクの色を前記ユーザが選択可能な状態で表示し、さらに、前記画像編集画面において、前記ユーザが選択可能な色が変更されたことを示すメッセージを表示するように制御する第２の表示制御ステップと
を含むことを特徴とする画像印刷方法。
【請求項９】
請求項８に記載の画像印刷方法をコンピュータに実行させるプログラム。
【発明の詳細な説明】
【０００１】
【発明の属する技術分野】
本発明は画像印刷装置および方法、印刷媒体、並びにプログラムに関し、特に、インク切れやプリンタの印字ヘッドが故障した場合において、管理者は容易にその異常を知ることができ、また、ユーザはＧＵＩ（Ｇｒａｐｈｉｃａｌ  Ｕｓｅｒ  Ｉｎｔｅｒｆａｃｅ）画面を用いて編集した画像と同じ画像が印刷されたシールシートを得ることができるようにした画像印刷装置および方法、印刷媒体、並びにプログラムに関する。
【０００２】
【従来の技術】
従来、ユーザの画像を撮影し、これを予め用意されたフレーム画像と合成してシール紙などに印刷して提供する画像印刷装置（例えば、プリントクラブ（商標））が知られている。そして、この画像印刷装置には、ユーザは、撮影した画像上に付属のペンで任意の文字や図形などを書き込む（編集する）ことができるようになされているものも存在する。この編集機能は、近年、ますます多機能化されており、様々な効果を施す編集が可能となっている。
【０００３】
また、画像印刷装置は、編集機能の高度化および多機能化に伴い、画像印刷のために２台のプリンタを筐体内に搭載し、一方のプリンタで昇華印刷を行い、他方のプリンタで金銀等の溶融印刷を実施するものも存在する。
【０００４】
ところで、このプリンタは、その装備品として、シールシートやインク等の各種の消耗品を有する。このため消耗品を消耗した場合、消耗品を補充する必要がある。また、プリンタの印字ヘッド等が故障した場合、故障部品を交換する必要がある。
【０００５】
【発明が解決しようとする課題】
しかしながら、これらの補充や交換の必要のあるプリンタの異常は、一定間隔で発生するものではなく、ユーザの使用頻度が高い日と使用頻度の低い日とに応じて、異常が発生する時期は相違するものであり、印刷してみるまで異常に気付かないことがあった。
【０００６】
本発明はこのような状況に鑑みてなされたものであり、インクの残量やプリンタの印字ヘッドの状態を管理し、その管理情報を表示画面に反映させ、インク切れやプリンタの印字ヘッドが故障した場合において、管理者は容易にその異常を知ることができ、また、ユーザはＧＵＩ画面を用いて編集した画像と同じ画像が印刷されたシールシートを得ることができるようにするものである。
【０００７】
【課題を解決するための手段】
本発明の画像印刷装置は、撮影空間において、被写体を撮影する撮影手段と、撮影空間と異なる位置に設けられた編集空間において、撮影手段により撮影された被写体の画像のうち、編集対象画像として選択された被写体の画像、および被写体の画像の編集に用いられる画像編集画面を表示し、編集入力を受け付ける表示手段と、表示手段により表示された画像編集画面に基づいて、入力された編集入力に従って被写体の画像を編集する編集手段と、イエロー、マゼンタ、シアン、またはブラックを含むカラー印刷を行うカラー印刷ユニット、並びに、ゴールド、シルバー、プラチナ、または蛍光色を含む特殊色印刷を行う特殊色印刷ユニットを有し、カラー印刷ユニットにおいて、被写体の画像および編集入力に対応する画像の内、カラー印刷可能な色の画像を、カラー印刷に対応する色のインクが配列されたリボンシートを用いて所定の印刷媒体に印刷し、特殊色印刷ユニットにおいて、編集入力に対応する画像の内、特殊色印刷可能な色の画像を、特殊色印刷に対応する色のインクが配列されたリボンシートを用いて印刷媒体に印刷する印刷手段と、印刷手段に設置されたリボンシートが有するインクの色の情報を入力する入力手段とを備え、印刷手段に設置されたリボンシートが有するインクの色が変更された場合、表示手段は、画像編集画面の色選択欄において、入力手段により入力されたインクの色をユーザが選択可能な状態で表示し、さらに、画像編集画面において、ユーザが選択可能な色が変更されたことを示すメッセージを表示することを特徴とする。
【０００８】
撮影手段は、撮影装置により構成され、表示手段は、撮影用モニタ、編集入力用モニタ、または取り込み画像表示部により構成され、編集手段はCPUにより構成され、印刷手段は、プリンタにより構成され、入力手段は、操作パネルまたはタッチパネルにより構成される。
【０００９】
撮影空間において、被写体が撮影され、撮影空間と異なる位置に設けられた編集空間において、編集対象画像として選択された被写体の画像、および被写体の画像の編集に用いられる画像編集画面が表示されて、編集入力が受け付けられ、表示された画像編集画面に基づいて入力された編集入力に従って被写体の画像が編集され、イエロー、マゼンタ、シアン、またはブラックを含むカラー印刷を行うカラー印刷ユニット、並びに、ゴールド、シルバー、プラチナ、または蛍光色を含む特殊色印刷を行う特殊色印刷ユニットを有する印刷部において、カラー印刷ユニットにおいて、被写体の画像および編集入力に対応する画像の内、カラー印刷可能な色の画像が、カラー印刷に対応する色のインクが配列されたリボンシートを用いて所定の印刷媒体に印刷され、特殊色印刷ユニットにおいて、編集入力に対応する画像の内、特殊色印刷可能な色の画像が、特殊色印刷に対応する色のインクが配列されたリボンシートを用いて印刷媒体に印刷され、印刷部に設置されたリボンシートが有するインクの色の情報が入力され、印刷部に設置されたリボンシートが有するインクの色が変更された場合、画像編集画面の色選択欄において、入力されたインクの色が、ユーザが選択可能な状態で表示され、さらに、画像編集画面において、ユーザが選択可能な色が変更されたことを示すメッセージが表示される。
【００１０】
以上のように構成することにより、インク切れやプリンタの印字ヘッドが故障した場合において、管理者は容易にその異常を知ることができ、また、ユーザはＧＵＩ画面を用いて編集した画像と同じ画像が印刷されたシールシートを得ることができる。
【００１１】
なお、印刷手段は、第１の印字ヘッドおよび第２の印字ヘッドがともに同じリボンシートを使用するように構成されたプリンタにより構成されてもよい。
【００１２】
また、印刷手段は、第１の印字ヘッドおよび第２の印字ヘッドの両方の機能を有する１つの印字ヘッドにより印刷を行うプリンタにより構成されてもよい。
【００２３】
前記リボンシートが有するインクの色である特殊色の残量が無くなった場合、表示手段は、色選択欄に特殊色が表示されないようにして画像編集画面を表示するようにすることができる。
【００２４】
画像編集印刷処理において、ＣＰＵはプリンタのインク残量を算出し、第２の印字ヘッドによって行われる特殊印刷用のインク（例えば金色のインク）があるか否かを判定する。
【００２５】
インク残量が零でない場合、編集入力用モニタには、ＧＵＩ画面である画像編集画面が表示される。画像編集画面において、ユーザが画像を編集するために色を選択する色選択欄には、ユーザが操作することにより金色を選択する金色選択ボタンが表示されている。
【００２６】
しかしながら、インク残量が零である場合、編集入力用モニタには、画像編集画面が表示される。色選択欄には、金色選択ボタンは表示されない。また、画像編集画面にはメッセージ欄が表示され、そのメッセージ欄には、「インク切れのため金色は使用できません」というメッセージが表示される。
【００２７】
以上のように構成することにより、ユーザが画像編集時においてインク切れした色を選択しないようにすることができる。
【００２８】
前記リボンシートが有するインクの色である特殊色の残量が無くなった場合、表示手段は、色選択欄に表示されている特殊色が選択できないようにして画像編集画面を表示するようにすることができる。
【００２９】
画像編集印刷処理において、ＣＰＵは、プリンタのインク残量を算出し、第２の印字ヘッドによって行われる特殊印刷用のインク（例えば金色のインク）があるか否かを判定する。そして、インク残量が零である場合、編集入力用モニタには、ＧＵＩ画面である画像編集画面が表示される。色選択欄には、金色選択ボタンが表示されるが、ＣＰＵは、ユーザによる金色選択ボタンの操作を受け付けない。また、画像編集画面にはメッセージ欄が表示され、そのメッセージ欄には、「インク切れのため金色は使用できません」というメッセージが表示される。
【００３０】
以上のように構成することにより、ユーザが画像編集時においてインク切れした色を選択しないようにすることができる。
【００３１】
前記カラー印刷ユニット、若しくは特殊色印刷ユニットの状態が異常になった場合、または、リボンシートが有するインクのいずれかの色の残量が無くなった場合、表示手段は、それらの異常内容を示す情報を画像編集画面に表示するようにすることができる。
【００３２】
プリンタ検査処理のように、ＣＰＵは、プリンタのインク残量または印字ヘッドの状態を管理し、異常がある場合は、撮影用モニタまたは編集入力用モニタに異常の内容を示すメッセージを表示する。
【００３６】
前記印刷手段に新たに設置されたリボンシートが有するインクの色、および量を検知する検知手段をさらに備え、入力手段は、検知手段により検知されたインクの色の情報、およびインクの量の情報を入力するようにすることができる。
【００３７】
検知手段は、ＩＤリーダ／ライタにより構成される。
【００３８】
前記検知手段は、印刷手段に新たに設置されたリボンシートが有するインクの色、およびインクの量を、リボンシートに付加された、リボンシートが有するインクの色を識別する情報である色識別情報、およびインクの量の情報である量情報を電子的に記憶している制御タグより検知するようにすることができる。
【００３９】
ＩＤリーダ／ライタは、リボンシートに付加されている制御タグであるインクＩＤタグの色識別情報および量情報を読み取り、ＣＰＵに供給する。ＣＰＵは、これにより、補充されたリボンシートの色を識別し、また、インクの残量を算出することができる。また、これらの情報を取得したＣＰＵは、色アイテム自動設定処理を実行し、編集入力用モニタに表示される画像編集画面に反映させることもできる。
【００４０】
なお、検知手段であるＩＤリーダ／ライタが、シールシートに付加されている制御タグである、用紙タグより用紙の量情報を読み取り、ＣＰＵに供給することで、ＣＰＵがシールシートの残量を管理することができるようにしてもよい。
【００４１】
前記画像印刷装置の管理者が入力する、印刷手段によるテスト印刷の実行指示入力、およびテスト印刷を行うインクの色に関する指示入力を受け付ける受付手段をさらに備え、印刷手段は、受付手段により受け付けられたテスト印刷の実行指示入力に基づいて、インクの色に関する指示入力により指示された色によりテスト印刷を行うようにすることができる。
【００４２】
管理者がメンテナンスボタンを操作することにより撮影用モニタに表示されるメニュー画面において、テストモードが選択されると、テストモード画面が撮影用モニタに表示される。このテストモード画面において、管理者が操作パネルを操作することでカーソルを操作して印字テストを選択し、補充したインクの色を選択すると、ＣＰＵは印字テスト処理を実行する。
【００４３】
これにより、管理者は、プリンタに設置されているリボンシートの色毎に、正常に印刷可能か否かを試験することができる。
【００４４】
本発明の画像印刷装置の画像印刷方法は、撮影空間において被写体の撮影を制御する撮影制御ステップと、撮影空間と異なる位置に設けられた編集空間において、撮影制御ステップの処理により制御されて撮影された被写体の画像のうち、編集対象画像として選択された被写体の画像、および被写体の画像の編集に用いられる画像編集画面を表示し、編集入力を受け付けるように制御する第１の表示制御ステップと、第１の表示制御ステップの処理により制御されて表示された画像編集画面に基づいて入力された編集入力に従って、被写体の画像を編集する編集ステップと、イエロー、マゼンタ、シアン、またはブラックを含むカラー印刷を行うカラー印刷ユニット、並びに、ゴールド、シルバー、プラチナ、または蛍光色を含む特殊色印刷を行う特殊色印刷ユニットを有する印刷部を用いて、前記カラー印刷ユニットにおいて、前記被写体の画像および前記編集入力に対応する画像の内、前記カラー印刷可能な色の画像を、前記カラー印刷に対応する色のインクが配列されたリボンシートを用いて所定の印刷媒体に印刷し、前記特殊色印刷ユニットにおいて、前記編集入力に対応する画像の内、前記特殊色印刷可能な色の画像を、前記特殊色印刷に対応する色のインクが配列されたリボンシートを用いて前記印刷媒体に印刷するように制御する印刷制御ステップと、印刷部に設置されたリボンシートが有するインクの色の情報の入力を制御する入力制御ステップと、印刷部に設置されたリボンシートが有するインクの色が変更され、入力制御ステップの処理により制御されて新たな色の情報が入力された場合、第１の表示制御ステップの処理により制御されて表示された画像編集画面の色選択欄において、インクの色をユーザが選択可能な状態で表示し、さらに、画像編集画面において、ユーザが選択可能な色が変更されたことを示すメッセージを表示するように制御する第２の表示制御ステップとを含むことを特徴とする。
【００４７】
本発明のプログラムは、上述した画像印刷方法をコンピュータに実行させることを特徴とする。
【００４８】
本発明のプログラムは、所定の記録媒体に記録されて、ドライブにより読み出され、画像印刷装置にインストールされる。記録媒体は、フロッピディスクなどよりなる磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｋ）などよりなる光ディスク、ＭＤ（Ｍｉｎｉ  Ｄｉｓｋ）（商標）などよりなる光磁気ディスク、または半導体メモリなどより構成される。
【００４９】
【発明の実施の形態】
図１は、本発明を適用した画像印刷装置１の構成例を示す斜視図である。
【００５０】
画像印刷装置１の筐体１１の面１１−１には、左上方に硬貨投入口２１が設けられており、ユーザは、画像印刷装置１を利用するとき、所定の金額を投入する。また、面１１−１の右上方には、撮影案内用スピーカ２２が設けられている。撮影案内用スピーカ２２は、各種の音声ガイダンスなどを出力し、ユーザに対して、撮影方法（シール作成の進行方法）を案内する。
【００５１】
面１１−１の中央上方にある、所定の角度だけ上方を向いた面１１−２には、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）などよりなる撮影用モニタ２３が設置されている。撮影用モニタ２３は、撮影方法を案内する画面や、後述するように撮影装置４１により撮影された被写体の画像を表示する。
【００５２】
面１１−２の右側には、所定の角度だけ斜め上方を向いた面１１−３Ｒがあり、その面には、操作パネル２４が設置されている。操作パネル２４は、ユーザにより操作される各種の操作ボタンよりなり、例えば、カメラ４２のズームを調整するときなどに操作される。操作パネル２４には、例えば、撮影用モニタ２３に表示される各種の選択に対して、決定するとき操作される「○ボタン」、決定したものをキャンセルするとき操作される「×ボタン」、撮影用モニタ２３に表示されるカーソルなどを移動するとき操作される「＋ボタン」、「−ボタン」などが配置され、そのほか、撮影の開始を指示するとき操作される「撮影スタートボタン」などが適宜配置される。
【００５３】
また、面１１−２の左右には、床に対してほぼ垂直な面１１−４Ｒ，１１−４Ｌが設けられており、それぞれの面には、照明装置２５−１Ｒ，２５−１Ｌが配置される。照明装置２５−１Ｒ，２５−１Ｌは、内部に発光体（フラッシュ）を有しており、ユーザから撮影の開始が指示され、カメラ４２が取り込む画像を静止画像として記憶するとき（キャプチャするとき）、そのタイミングに合わせて、被写体を照射する。
【００５４】
また、筐体１１の上面の面１１−５Ｒ，１１−５Ｌにも、面１１−４Ｒ，１１−４Ｌと同様に照明装置２５−２Ｒ，２５−２Ｌがそれぞれ配置されている。照明装置２５−２Ｒ，２５−２Ｌは、内部に発光体を有しており、照明装置２５−１Ｒ，２５−１Ｌが被写体を照射するタイミングで、発光体を発光させる。照明装置２５−２Ｒ，２５−２Ｌから照射された光（フラッシュ）は、フラッシュ反射板２６で反射され、被写体を照射する。すなわち、フラッシュ反射板２６は、筐体１１の正面にいるユーザを照射する方向に傾斜して取り付けられる。
【００５５】
筐体１１の上方には、撮影装置４１が設置されている。この撮影装置４１の所定の角度だけ斜め下方向を向いた面には、ＣＣＤ（Ｃｈａｒｇｅ  Ｃｏｕｐｌｅｄ  Ｄｅｖｉｃｅ）、あるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などよりなるカメラ４２、および小型のＬＣＤなどよりなる取り込み画像表示部４３が配置されている。カメラ４２は、被写体の画像を取り込み、その画像（動画像）は、取り込み画像表示部３３に表示される。取り込み画像表示部４３がＣＣＤカメラ３２の近傍に設けられているため、ユーザは、取り込み画像表示部４３に表示されている自分の画像を確認しながら、視線をほぼカメラ４２に向けた状態で撮影することができる。
【００５６】
筐体１１の左側面である面１１−６には、ＣＲＴやＬＣＤなどよりなる編集入力用モニタ３１、編集案内用スピーカ３２、タッチペン３３、およびシール取り出し口３４が設けられている。
【００５７】
カメラ４２で撮影され、編集する画像として選択され、保存された画像は、ユーザが撮影処理を終了した後、編集入力用モニタ３１に表示される。編集入力用モニタ３１には、タッチパネル１１３（図８参照）が積層されており、ユーザは、編集入力用モニタ３１に表示されている画像に対して、タッチペン３３を操作することにより、編集対象の画像（以下、適宜、編集対象画像と称する）に任意の文字や図形などを書き込む（入力する）ことができる。
【００５８】
すなわち、ユーザは、筐体１１の正面（面１１−１）前方の場所（以下、適宜撮影空間と称する）で自分自身を撮影したのち、面１１−６の前方の場所（以下、適宜編集空間と称する）へ移動して、撮影した自分自身の画像を編集する。
【００５９】
編集入力用モニタ３１は、編集対象画像とともに、様々な編集ツールの選択ボタンなどを表示する。そして、編集入力用モニタ３１は、タッチペン３３で書き込みがされたとき、その入力に応じて生成した編集済みの画像を表示する。
【００６０】
編集案内用スピーカ３２は、ユーザに対して、編集の入力方法を説明する音声ガイダンスを出力する。
【００６１】
タッチペン３３は、編集入力用モニタ３１に積層されるタッチパネル１１３の位置検出方式（例えば、抵抗膜式、超音波式など）に応じて構成され、編集に使用されないとき、図に示すように面１１−６に設置されている突起部に引っかけられる。
【００６２】
シール取り出し口３４は、所定の数、および大きさの複数のシールからなる、編集済みの画像が印刷されたシールシートを排出する。
【００６３】
なお、図１においては、画像印刷装置１は、撮影を行う撮影空間と、撮影画像の編集を行う編集空間とを異なる位置に設けるように説明したが、これに限らず、１つの空間において、撮影および編集が行われるようにしてもよい。
【００６４】
また、面１１−１には、大きな開口部５０が形成され、この開口部５０が、蓋部材５１によって開閉されるようになっている。
【００６５】
図２は、プリンタ保守のために蓋部材５１を開いた状態を示す要部斜視図である。
【００６６】
図２において、蓋部材５１は、鍵付きで、扉形式で開閉されるようになっており、閉じられたときに面１１−１の一部を構成する。なお、蓋部材５１は、ねじ等により筐体１１に固定されて、ねじの取り付け、取り外しに応じて開口部５０を開閉するように構成する等、開閉のための構成は適宜の手法が採択し得る。
【００６７】
図２に示されるように、筐体１１内には、編集入力用モニタ３１を利用して編集された後の画像を印刷するプリンタ５２が設置されている。プリンタ５２は、筐体１１の右側面１１−６よりに配設されて、印刷したシールシートをシール取り出し口３４より排出する。すなわち、プリンタ５２は、所定の数、および大きさに分割されたシールのシールシートを複数種類ストックし、ユーザから選択されたシールシートに、編集済みの画像を印刷する。
【００６８】
蓋部材５１が開かれることにより、プリンタ５２が大きな開口部５０を通して外部から接近可能とされる。これにより、蓋部材５１が開かれて、プリンタ５２へのシールシートの補給が行われる。
【００６９】
また、開口部５０の右上部の筐体１１内には、管理者が操作することによりメンテナンスモードに移行するメンテナンスボタン５３が設置されている。管理者が蓋部材５１を開き、このメンテナンスボタン５３を操作すると、撮影用モニタ２３、または編集入力用モニタ３１に、メニュー画面が表示される。そして、管理者は、操作パネル２４等を操作することで表示されているメニュー画面を操作して、各種の設定やテスト印刷等を行うことができる。
【００７０】
図３は、プリンタ５２の内部の構成例を示す図である。
【００７１】
図３において、プリンタ５２は、画像が印刷されるシールシート６１、イエロー、マゼンタ、シアン、およびブラックの４色の印刷を行うカラー印刷ユニット６２、ゴールド（金）の印刷を行うゴールド印刷ユニット６３、印刷されたシールシート６１を所定の大きさにカットするカッタ６４、および、印刷されたシールシート６１を排出する排出口６５により構成されている。
【００７２】
シールシート６１は、連続したロール紙状となっており、搬送通路６０に沿って、カラー印刷ユニット６２に給紙される。
【００７３】
カラー印刷ユニット６２の印字ヘッド７１には、搬送通路６０を隔てた位置からプラテンローラ７２が対向配置され、圧接されている。また印字ヘッド７１とプラテンローラ７２との間には、巻き出しローラ７３より供給されたカラーリボン７４が挿通されている。印字ヘッド７１は、例えば、昇華型熱転写用印字ヘッドなどにより構成されている。
【００７４】
カラーリボン７４は、図４Ａに示されるように、イエロー（Ｙ）、マゼンタ（Ｍ）、シアン（Ｃ）、およびブラック（Ｋ）からなる昇華型熱転写層を、リボンの延在方向に順次配列したリボンシートで構成されている。
【００７５】
これにより、印字ヘッド７１は、搬送通路６０に沿って給紙されてきたシールシート６１に対して、イエロー、マゼンタ、シアン、およびブラックの順で４色の印刷を行うことができる。
【００７６】
印字ヘッド７１によって、イエロー、マゼンタ、シアン、およびブラックの４色がシールシート６１に印刷された後、カラーリボン７４は、巻き取りローラ７５によって巻き取られる。検知部７６は、巻き取りローラ７５のカラーリボン７４の巻き取り状況を検知する。その検知結果は、図８のプリンタ制御部１０９に供給され、巻き取りローラ７５の回転が制御される。
【００７７】
カラー印刷ユニット６２によって、イエロー、マゼンタ、シアン、およびブラックの４色の印刷が行われたシールシート６１は、搬送通路６０に沿って、ゴールド印刷ユニット６３に給紙される。
【００７８】
ゴールド印刷ユニット６３の印字ヘッド８１には、搬送通路６０を隔てた位置からプラテンローラ８２が対向配置され、圧接されている。また印字ヘッド８１とプラテンローラ８２との間には、巻き出しローラ８３より供給されたカラーリボン８４が挿通されている。印字ヘッド８１は、例えば、溶融型熱転写用印字ヘッドなどにより構成されている。
【００７９】
カラーリボン８４は、図４Ｂに示されるように、ゴールドからなる溶融型熱転写層のリボンシートで構成されている。
【００８０】
これにより、印字ヘッド８１は、搬送通路６０に沿って給紙されてきたシールシート６１に対して、ゴールドの印刷を行うことができる。
【００８１】
印字ヘッド８１によって、ゴールドがシールシート６１に印刷された後、カラーリボン８４は、巻き取りローラ８５によって巻き取られる。検知部８６は、巻き取りローラ８５のカラーリボン８４の巻き取り状況を検知する。その検知結果は、図８のプリンタ制御部１０９に供給され、巻き取りローラ８５の回転が制御される。
【００８２】
ゴールド印刷ユニット６３によって、ゴールドの印刷が行われたシールシート６１は、搬送通路１０に沿って給紙され、カッタ６４で所定の大きさにカットされた後、排出口６５から排出される。
【００８３】
図５は、図１の画像印刷装置１の配置例を示す図である。
【００８４】
筐体１１の正面（面１１−１）と対向する位置には、所定距離だけ離間して背景パネル９３が設置され、ユーザは、筐体１１と背景パネル９３の間の空間を撮影空間として、自分自身の画像を撮影する。なお、筐体１１の上面にはカーテンフレーム９１が水平方向に設置されており、カーテンフレーム９１には、撮影空間の内部が外部から見えないように、カーテン９２が取り付けられている。
【００８５】
また、筐体１１の面１１−６には、カーテンフレーム９４−１，９４−２が、その垂直方向に設置されており、その先端には面１１−６と対向してカーテン９５が取り付けられている。すなわち、編集を入力しているユーザ、および編集入力用モニタ３１に表示されている画像が外から見えないようになされている。
【００８６】
図６は、撮影空間における各装置の配置例を示す図である。なお、図６においては、説明の便宜上、図５に示したカーテンフレーム９１、カーテン９２、背景パネル９３、カーテンフレーム９４−１，９４−２、およびカーテン９５は省略されている。
【００８７】
撮影空間には、２段の階段と、その上部にある斜面により構成される撮影台９６が配置されており、ユーザは、この撮影台９６を利用して、様々なポーズを取って撮影を楽しむことができる。また、撮影台９６の近傍には、筐体１１に設置されている操作パネル２４と同様の操作ボタンが配置される撮影台用操作パネル９７が設置されている。すなわち、ユーザは、筐体１１（操作パネル２４）に近づかなくても、撮影台用操作パネル９７の操作ボタンを操作して撮影することができる。
【００８８】
撮影台用操作パネル９７から入力された各種の情報は、床下にあるケーブル９８を介して画像印刷装置１に供給される。
【００８９】
図７は、図５を上方から見た場合の配置例を示す図であり、この図を参照してユーザの移動について説明する。なお、斜線部２３は撮影用モニタ２３がその面に設置されることを、斜線部３１は編集入力用モニタ３１がその面に設置されることをそれぞれ示している。
【００９０】
図７においては、白抜き矢印がユーザの進行方向を示しており、撮影をするとき、ユーザは、筐体１１と背景パネル９３の間の撮影空間に入場し、撮影台９６を利用して様々なポーズを取って撮影する。
【００９１】
撮影空間での撮影が終了したとき、撮影用モニタ２３には、編集空間への案内画面が表示されるため、ユーザはこの案内に従って、白抜き矢印で示すように、撮影空間から出場して編集空間へ入場する。そして、編集対象画像に対して編集した後、ユーザは、シール取り出し口３４から排出されるシールシートを受け取る。
【００９２】
このように、撮影空間と編集空間とを異なる位置に設けることにより、次に順番待ちをしているユーザがいる場合、そのユーザは、それまで撮影空間で撮影をしていたユーザと入れ替わりに撮影空間に入場し、撮影を開始することができる。そのため、撮影の待ち時間を短縮することができ、それとともに、編集する時間を長く設定することができる。その結果、画像印刷装置１を管理する管理者の側からすれば、ユーザの回転率が向上することとなり、収益率が向上する。
【００９３】
図８は、図１の画像印刷装置１の内部の構成例を示すブロック図である。図１乃至図７において説明した部分についての説明は省略する。
【００９４】
ＣＰＵ（Ｃｅｎｔｒａｌ  Ｐｒｏｃｅｓｓｉｎｇ  Ｕｎｉｔ）１０１は、ＲＯＭ（Ｒｅａｄ  Ｏｎｌｙ  Ｍｅｍｏｒｙ）１０２に記憶されているプログラム、または、プログラム記憶部１０４からＲＡＭ（Ｒａｎｄｏｍ  Ａｃｃｅｓｓ  Ｍｅｍｏｒｙ）１０３にロードしたプログラムに従って画像印刷装置１の全体の動作を、バス１１０を介して制御する。ＲＡＭ１０３にはまた、ＣＰＵ１０１が各種の処理を実行する上において必要なデータなどが適宜記憶される。
【００９５】
プログラム記憶部１０４は、ハードディスクやそのドライブからなり、ＣＰＵ１０１が実行する様々なプログラムなどを記憶する。ドライブ１０５は、フロッピディスクやハードディスクなどの磁気ディスクや、ＣＤ−ＲＯＭ，ＤＶＤなどの光ディスクなどの記録媒体に記憶されているプログラムを読み出し、バス１１０を介してプログラム記憶部１０４などに供給する。例えば、ドライブ１０５からは、被写体の画像と合成する新たなフレーム画像などが供給される。
【００９６】
撮影装置４１の内部には、上述したカメラ４２および取り込み画像表示部４３の他に、カメラ制御部１０６が配置されている。カメラ制御部１０６は、ユーザが操作パネル２４、または撮影台用操作パネル９７を操作することにより入力したカメラ４２の調節要求に応じて、カメラ４２のズーム率、取り込む光量などを制御する。
【００９７】
キープ画像記憶部１０７は、ユーザが撮影し、編集する画像として選択した画像を所定の枚数だけ記憶する。例えば、キープ画像記憶部１０７は、キープ画像（編集対象画像）を６枚まで記憶する。
【００９８】
硬貨処理部１０８は、硬貨投入口２１から投入された硬貨をカウントし、画像の作成代金として予め設定されている所定の金額が投入されたと判定したとき、それをＣＰＵ１０１に通知する。
【００９９】
プリンタ５２は、所定の数、および大きさに分割されたシールのシールシートを複数種類ストックし、ユーザから選択されたシールシートに、編集済みの画像を印刷する。プリンタ５２により印刷されたシールシートは、シール取り出し口３４から排出され、ユーザに提供される。
【０１００】
プリンタ５２の内部には、上述した印字ヘッド７１および８１、巻き出しローラ７３および８３、巻き取りローラ７５および８５、並びに検知部７６および８６の他に、プリンタ制御部１０９が配置されている。プリンタ制御部１０９は、ＣＰＵ１０１から供給される印刷データに基づいて、印字ヘッド７１の駆動を制御し、巻き出しローラ７３の回転を制御し、カラーリボン７４をカラー印刷ユニット６２に供給させるとともに、検知部７６から供給される検知結果に基づいて、巻き取りローラ７５の回転を制御する。また、プリンタ制御部１０９は、同様に、ＣＰＵ１０１から供給される印刷データに基づいて、印字ヘッド８１の駆動を制御し、巻き出しローラ８３の回転を制御し、カラーリボン８４をゴールド印刷ユニット６３に供給させるとともに、検知部８６から供給される検知結果に基づいて、巻き取りローラ８５の回転を制御する。
【０１０１】
音声出力制御部１１１は、ＣＰＵ１０１からの制御に基づいて撮影案内用スピーカ２２を制御し、撮影方法などを説明する各種の音声ガイダンスや、例えば、静止画像を取り込むときのシャッター音などの効果音を出力する。一方、音声出力制御部１１４は、編集案内用スピーカ３２を制御し、編集方法などを説明する各種の音声ガイダンスや、画像に書き込むときに発生される効果音などを出力する。このように、撮影案内用スピーカ２２と編集案内用スピーカ３２には、必要に応じてそれぞれ異なる音が出力される。
【０１０２】
表示プロセッサ１１２は、撮影処理が終了し、ユーザが編集を開始するとき、キープ画像記憶部１０７からバス１１０を介して転送されてくるキープ画像を内蔵するメモリ１１２Ａに記憶する。そして、表示プロセッサ１１２は、タッチパネル１１３において編集入力がされたとき、編集対象画像上における、その入力位置を検出し、編集対象画像に反映させて編集入力用モニタ３１に表示させる。なお、図８においては、編集入力用モニタ３１とタッチパネル１１３は別の位置に示されているが、実際には積層して配置されている。
【０１０３】
ＩＤリーダ／ライタ１１５は、リボンシートに付加された制御タグであるインクＩＤタグ１１７より、リボンシートのインクの色を識別する色識別情報、およびインクの量を示す量情報を読み取り、ＲＡＭ１０３等に記憶させる。ＣＰＵ１０１は、これらの情報に基づいて、補充されたインクの色や量を認識し、インク残量を算出したり、編集入力用モニタ３１に表示させるＧＵＩ画面を変更したりする。
【０１０４】
また、ＩＤリーダ／ライタ１１５は、シールシートに付加された制御タグである用紙タグ１１６より、シールシートの量を示す量情報を読み取り、ＲＡＭ１０３等に記憶させる。ＣＰＵ１０１は、この情報に基づいて、補充されたシールシートの量を認識し、残量を算出したり、編集入力用モニタ３１に表示させるＧＵＩ画面を変更したりする。
【０１０５】
次に、図９および図１０のフローチャートを参照して、図１の画像印刷装置１の画像撮影処理について説明する。また、必要に応じて図１１乃至図２１を参照して説明する。
【０１０６】
最初にステップＳ１において、ＣＰＵ１０１は、プリンタ制御部１０９を制御して、プリンタ検査処理を実行する。プリンタ検査処理の詳細は図２２のフローチャートを参照して後述する。ステップＳ１の処理が終了すると、ＣＰＵ１０１は、ステップＳ２に進む。
【０１０７】
ステップＳ２において、ＣＰＵ１０１は、プログラム記憶部１０４に記憶されている、撮影の進行方法などのデモンストレーション画面（以下、デモ画面と称する）を、撮影用モニタ２３に表示させる。
【０１０８】
図１１は、撮影用モニタ２３に表示されるデモ画面の例を示す図であり、この表示例においては、「お金を入れてね」のメッセージが表示されている。
【０１０９】
図９のステップＳ３において、ＣＰＵ１０１は、硬貨処理部１０８からの出力に基づいて、所定の代金（シールシートの作成代金）が投入されたか否かを判定し、投入されたと判定するまでデモ画面を表示して待機する。一方、ＣＰＵ１０１は、代金が投入されたと判定した場合、ステップＳ４に進み、各種の機能や撮影方法を説明する説明画面を撮影用モニタ２３に表示する。なお、硬貨が投入されることに応じて取り込み画像表示部４３には、カメラ４２が撮影している動画像が表示される。
【０１１０】
図１２は、撮影用モニタ２３に表示される説明画面の例を示す図であり、撮影する画像を縦長の画像とするか、横長の画像とするかを選択する画面とされている。なお、「＋／−ボタンで選んでね」のメッセージが表示されており、ユーザは、操作パネル２４、または撮影台用操作パネル９７の「＋ボタン」を操作した場合、縦長の画像を撮影することができ、「−ボタン」を操作した場合、横長の画像を撮影することができる。また、画面の右上には、残りの撮影可能枚数（キープ画像の枚数）が「６枚」として表示されている。
【０１１１】
図１３は、撮影用モニタ２３に表示される説明画面の他の例を示す図であり、例えば、図１２において撮影する画像の方向が選択された後、表示される。この例においては、「ズームの調整を＋／−ボタンでしてね。用意ができたらスタートボタンを押してね」のメッセージが表示されており、ユーザは、操作パネル２３、または撮影台用操作パネル９７の「＋ボタン」、および「−ボタン」を操作することにより、カメラ４２のズーム調整を行うことができる。
【０１１２】
図９に戻り、ステップＳ５において、ＣＰＵ１０１は、図１２および図１３に示したような説明画面に応じて、ユーザからカメラ４２を調整することが入力されたとき、その入力に基づいてカメラ制御部１０６を制御する。例えば、図１２に示すような説明画面において「＋ボタン」が選択されたとき、カメラ制御部１０６は、ＣＰＵ１０１からの指示に基づいて、取り込む画像を縦長の画像とするようにカメラ４２を制御する。
【０１１３】
ＣＰＵ１０１は、ステップＳ６において、操作パネル２４、または撮影台用操作パネル９７からの出力に基づいて、撮影を開始するとき操作される撮影スタートボタンが操作されたか否かを判定し、まだ操作されていないと判定した場合、ステップＳ４に戻り、それ以降の処理を繰り返し実行する。一方、ＣＰＵ１０１は、撮影スタートボタンが操作されたと判定した場合、ステップＳ７に進み、撮影用モニタ２３にカウントダウンインジケータを表示させ、撮影するタイミングとなったとき、カメラ４２により撮影されている画像を記憶する。
【０１１４】
図１４は、ステップＳ７において撮影用モニタ２３に表示される表示画面の例を示す図である。図１４に示すように、カウントダウンインジケータ１２１が表示され、例えば、左側の信号から順に点灯が開始され、１番右側の信号が点灯されたとき、カメラ３２により撮影されている画像が記憶される。なお、この例においては、撮影するタイミングと同時に、「はい、ポーズ！」のメッセージが表示されている。
【０１１５】
撮影するタイミングとなったとき、ＣＰＵ１０１は、照明装置２５−１Ｌおよび２５−１Ｒ、並びに照明装置２５−２Ｌおよび２５−２Ｒを制御してフラッシュを被写体に照射するとともに、その瞬間にカメラ４２により取り込まれている画像を、静止画像として保存し、キープ画像記憶部１０７に記憶させる。
【０１１６】
図９のステップＳ８において、ＣＰＵ１０１は、ステップＳ７で撮影した画像の確認画面を撮影用モニタ２３に表示させる。
【０１１７】
図１５は、画像確認画面の例を示す図であり、撮影用モニタ２３のほぼ中央に、ステップＳ７で撮影した画像が表示され、その上に、「これでいいかな？○／×ボタンを押してね」のメッセージが表示されている。ユーザは、表示されている画像をキープ画像として保存するか否かを、操作パネル２４、または撮影台用操作パネル９７の「○ボタン」または「×ボタン」を操作することにより選択することができる。
【０１１８】
そして、ＣＰＵ１０１は、図９のステップＳ９で、操作パネル２４、または撮影台用操作パネル９７からの入力に基づいて、キープ画像として保存することが指示されたか否かを判定し、指示されていない（「×ボタン」が操作された）と判定した場合、ステップＳ１０に進み、ステップＳ７で撮影し、キープ画像記憶部１０７に記憶されている画像を消去する。そして、ステップＳ４に戻り、それ以降の処理が繰り返し実行される。
【０１１９】
また、ステップＳ９において、キープ画像として保存することが選択された（「○ボタン」が操作された）と判定した場合、ＣＰＵ１０１は、ステップＳ１１に進み、その画像をキープ画像に追加する。
【０１２０】
そして、ステップＳ１２において、ＣＰＵ１０１は、キープ画像として追加した画像の明るさを調整する明るさ調整画面を撮影用モニタ２３に表示させる。
【０１２１】
図１６は、ステップＳ１２で撮影用モニタ２３に表示される明るさ調整画面の例を示す図である。この例においては、キープ画像として保存された画像が画面のほぼ中央に表示され、その下に、明るさのレベルを指定するボタンが表示されている。また、画面の上部には、「明るさを＋／−ボタンで調整してね。よければ○ボタンを押してね。」のメッセージが表示されており、ユーザは、操作パネル２４、または撮影台用操作パネル９７の「＋ボタン」または「−ボタン」を操作し、カーソル１２２を移動させて明るさを調整する。なお、ステップＳ９でキープ画像が選択されたため、図１６の右上方に示すように、残り撮影可能枚数が１だけ減算されて、例えば、「５枚」とされる。
【０１２２】
ＣＰＵ１０１は、操作パネル２４からの入力に応じて、キープ画像の明るさを調整し、「○ボタン」が操作されたとき、そのレベルの明るさでキープ画像をキープ画像記憶部１０７に保存し、図９のステップＳ１３に進む。
【０１２３】
ステップＳ１３において、ＣＰＵ１０１は、キープ画像記憶部１０７に記憶されているキープ画像の枚数を確認し、残り撮影可能枚数が「０枚」となったか、または操作パネル２４、若しくは撮影台用操作パネル９７からの出力に基づいて、「撮影終了ボタン」が操作されたか否かを判定し、残り撮影可能枚数が「０枚」でない、かつ、「撮影終了ボタン」が操作されていないと判定した場合、ステップＳ４に戻り、同様の撮影処理を繰り返し実行する。
【０１２４】
ＣＰＵ１０１は、ステップＳ１３において、残り撮影可能枚数が「０枚」となった、または「撮影終了ボタン」が操作されたと判定した場合、図１０のステップＳ１４に進み、シールシートの分割数の選択画面を撮影用モニタ２３に表示させる。このシールシートは、所定の数、および大きさに分割された複数のシールの組み合わせからなり、複数種類のパターンがプリンタ５２に予め用意されている。
【０１２５】
図１７は、ステップＳ１４で撮影用モニタ２３に表示される分割数選択画面の例を示す図である。この例においては、画面の上部に、「分割数を選択してね。＋／−ボタンで選んで○ボタンで決定してね。」のメッセージが表示されており、ユーザは、操作パネル１５の「＋ボタン」、または「−ボタン」を操作することによりカーソル１２３を移動させて、好みの分割数のシールシートを選択できる。なお、ユーザは、１枚のシールシートを様々な大きさのシールに分割する「混合分割」、１枚のシールシートをそれぞれが等しい大きさの３２個のシールに分割する「３２分割」、１枚のシールシートをそれぞれが等しい大きさの２５個のシールに分割する「２５分割」、１枚のシールシートをそれぞれが等しい大きさの９個のシールに分割する「９分割」のうちから、好みの分割数のシールシートを選択することができるようになされている。なお、さらに複数のパターンからシールシートを選択できる場合、図に示すように、画面の左右に矢印でそれが示される。
【０１２６】
そして、シールシートが選択されたとき、ＣＰＵ１０１は、図１０のステップＳ１５に進み、画像編集印刷処理を実行中か否かを判定する。画像編集印刷処理を実行中であると判定した場合、ＣＰＵ１０１は、ステップＳ１６に進み、キープ画像の撮り直しを行うか否か、またはゲームを行うか否かの選択画面を撮影用モニタ２３に表示させる。
【０１２７】
図１８は、ステップＳ１６において撮影用モニタ２３に表示される選択画面の例を示す図である。この例においては、「＋／−ボタンでどちらかを選んで○ボタンをおしてね。」のメッセージが表示されており、ユーザは、操作パネル２４、または撮影台用操作パネル９７の「＋ボタン」を操作することによりキープ画像の撮り直しを行うことができ、「−ボタン」を操作することによりゲーム（もぐら叩き）を行うことができるとされている。編集処理を行うまでの待ち時間に、キープ画像の撮り直しやゲームができるようにすることにより、待っているユーザは、先に編集処理を行っているユーザが編集処理、および印刷処理を終えるまで退屈せずに待つことができる。
【０１２８】
図１０に戻り、ステップＳ１７において、ＣＰＵ１０１は、操作パネル２４からの入力に基づいて、キープ画像の撮り直しが選択されたか否か（上述した例の場合、「＋ボタン」が操作されたか否か）を判定し、キープ画像の撮り直しが選択されたと判定した場合、ステップＳ１８に進む。
【０１２９】
ＣＰＵ１０１は、ステップＳ１８において、撮り直す画像の選択画面を撮影用モニタ２３に表示し、ユーザに選択させる。図１９は、撮り直す画像の選択画面の例を示す図であり、図１９に示されるように、キープ画像記憶部１０７に記憶されているキープ画像が表示される。図１９の例においては、「どれを撮りなおす？＋／−ボタンで選択して、○ボタンで決定してね。」のメッセージが表示されており、ユーザは、既に撮影したキープ画像の中から、カーソル１２４を操作して、１枚を消去して、撮り直すことができる。なお、ユーザが、キープ画像が撮影可能枚数の全てを満たす前に（上述した例の場合、「６枚」のキープ画像を撮影する前に）「撮影終了ボタン」を操作することにより撮影を終了させた場合、この消去する画像の選択画面は、表示されないようにしてもよい。
【０１３０】
そして、ＣＰＵ１０１は、図１０のステップＳ１９に進み、操作パネル２４、または撮影台用操作パネル９７からの出力に基づいて、撮り直す画像（消去する画像）が選択されたか否かを判定し、選択されていないと判定した場合、ステップＳ１８に戻り、選択されるまで待機する。また、ＣＰＵ１０１は、ステップＳ１９で、画像が選択されたと判定した場合、ステップＳ２０に進み、キープ画像記憶部１０７を制御し、選択された画像を消去するとともに、図１４を参照して説明したようなカウントダウンインジケータ１２１を撮影用モニタ２３に表示させ、撮影するタイミングとなったとき、撮影する。その後、画像の確認画面（図１５）などが表示され、上述したものと同様の処理が実行される。
【０１３１】
ステップＳ２１において、ＣＰＵ１０１は、ステップＳ１５の場合と同様に、画像編集印刷処理を実行中であるか否かを判定し、実行中であると判定した場合、ステップＳ１８に戻り、それ以降の処理を繰り返し実行する。
【０１３２】
また、ステップＳ１７において、ＣＰＵ１０１は、操作パネル２４、または撮影台用操作パネル９７からの入力に基づいて、キープ画像の撮り直しが選択されていない（ゲーム（もぐら叩き）が選択された）と判定した場合、ステップＳ２２に進み、撮影用モニタ２３にゲーム画面を表示させる。
【０１３３】
図２０は、撮影用モニタ２３に表示されるゲーム画面（もぐら叩き画面）の例を示す図である。この例においては、ユーザは、操作パネルの「○ボタン」、「×ボタン」、「＋ボタン」、「−ボタン」を操作することによりハンマー１２５を移動させ、もぐら叩きゲームができるようになされている。
【０１３４】
そして、所定の時間が経過した後（または、ゲームが終了した後）、ＣＰＵ１０１は、図１０のステップＳ２３に進み、画像編集印刷処理を実行中であるか否かを判定し、実行中であると判定した場合、ステップＳ２２に戻り、それ以降の処理を繰り返し実行する。
【０１３５】
なお、ＣＰＵ１０１は、ステップＳ２１およびＳ２３において、先に撮影を行ったユーザが画像編集印刷処理を実行中であると判定したとき、ステップＳ１６に戻り、それ以降の処理を繰り返し実行するようにしてもよい。これにより、例えば、ゲームに飽きたユーザは、キープ画像の撮り直しを行うことができ、編集空間が空くまでの時間を退屈せずに待つことができる。
【０１３６】
ステップＳ１５、ステップＳ２１、またはステップＳ２３において、画像編集処理を実行中でないと判定した場合、ＣＰＵ１０１は、ステップＳ２４に進み、画像編集の案内画面を撮影用モニタ２３に表示させる。
【０１３７】
図２１は、ステップＳ２４において表示される案内画面の例を示す図であり、この例においては、画像印刷装置１の外観とともに、矢印で編集空間への移動を促す画面と、「落書き（編集）は横でできるよ。外に出て落書きしてね。」のメッセージが表示されている。ユーザは、この画面を確認し、撮影空間を出て、編集空間に移動する。なお、順番待ちをしているユーザがいる場合、そのユーザは、先に撮影をしているユーザが撮影空間から出て編集空間に移動するのと入れ替わりに、撮影空間に入場し、撮影処理を開始することができる。
【０１３８】
そして、撮影用モニタ２３に表示される案内画面に応じて、編集空間に移動したユーザは、キープ画像の編集を行う。
【０１３９】
撮影用モニタ２３に案内画面が表示され、所定の時間が経過すると、ＣＰＵ１０１は、図９のステップＳ１に戻り、それ以降の処理が繰り返し実行される。なお、撮影を終えたユーザが編集処理を行っている間に、他のユーザが撮影処理を開始した場合、ステップＳ１以降の処理が後述する画像編集印刷処理と並行して実行される。
【０１４０】
次に、図２２のフローチャートを参照して、図９のステップＳ１において実行されるプリンタ検査処理の詳細を説明する。
【０１４１】
最初にステップＳ４１において、ＣＰＵ１０１は、プリンタ５２に通常印刷用インクがあるか否かを判定する。ＣＰＵ１０１は、プリンタ５２のカラー印刷ユニットにリボンシート７４が補充されたときに、ＩＤリーダ／ライタ１１５を制御して、リボンシート７４に付加された制御タグである、インクＩＤタグ１１７よりインクの色識別情報および量情報を取得する。
【０１４２】
図２３は、インクＩＤタグ１１７のメモリの構成例を示す模式図である。図２３において、インクＩＤタグ１１７には、インクの色を識別するための情報であるインク種識別コード１２６、およびインクの残量を示す情報であるインク残量１２７が含まれている。ＩＤリーダ／ライタ１１５は、これらの情報を読み込んで、ＣＰＵ１０１に供給する。
【０１４３】
さらに、ＣＰＵ１０１は、プリンタ制御部１０９を制御してインクの使用量に関する情報である使用量情報を取得する。これらの色識別情報、量情報、および使用量情報等に基づいて、ＣＰＵ１０１は、色毎にインクの残量を算出する。図２２のステップＳ４１においては、カラー印刷用ユニット６２において使用されるリボンシート７４のインクである通常印刷用インクの残量について判定する。
【０１４４】
なお、算出されたインクの残量は、ＲＡＭ１０３により記憶されるようにしてもよいし、インクＩＤタグ１１７により記憶されるようにしてもよい。
【０１４５】
図２２のステップＳ４１において、通常印刷用インクがないと判定した場合、ＣＰＵ１０１は、ステップＳ４２に進み、撮影用モニタ２３または編集入力用モニタ３１に通常印刷用インクのインク切れメッセージを表示する。メッセージを表示したＣＰＵ１０１は、ステップＳ４３に進む。
【０１４６】
また、ステップＳ４１において、通常印刷用インクがあると判定した場合、ＣＰＵ１０１は、ステップＳ４３に進む。
【０１４７】
ステップＳ４３において、ＣＰＵ１０１は、特殊印刷用インクがあるか否かを判定する。ＣＰＵ１０１は、ステップＳ４１の場合と同様にして、ゴールド印刷ユニット６３において使用されるリボンシート８４のインクの残量を算出し、残量が零か否かを判定する。
【０１４８】
特殊印刷用インクがないと判定した場合、ＣＰＵ１０１は、ステップＳ４４に進み、撮影用モニタ２３または編集入力用モニタ３１に特殊印刷用インクのインク切れメッセージを表示する。メッセージを表示したＣＰＵ１０１は、ステップＳ４５に進む。
【０１４９】
また、ステップＳ４３において、特殊印刷用インクがあると判定した場合、ＣＰＵ１０１は、ステップＳ４５に進む。
【０１５０】
ステップＳ４５において、ＣＰＵ１０１は、通常印刷用印字ヘッドに異常があるか否かを判定する。ＣＰＵ１０１は、プリンタ制御部１０９を制御して、カラー印刷ユニット６２の印字ヘッド７１を調査し、異常があるか否かを判定する。
【０１５１】
通常印刷用印字ヘッドに異常があると判定した場合、ＣＰＵ１０１は、ステップＳ４６に進み、撮影用モニタ２３または編集入力用モニタ３１に通常印刷用印字ヘッド異常のメッセージを表示する。メッセージを表示したＣＰＵ１０１は、ステップＳ４７に進む。
【０１５２】
また、ステップＳ４５において、通常印刷用印字ヘッドに異常がないと判定した場合、ＣＰＵ１０１は、ステップＳ４７に進む。
【０１５３】
ステップＳ４７において、ＣＰＵ１０１は、特殊印刷用印字ヘッドに異常があるか否かを判定する。ＣＰＵ１０１は、プリンタ制御部１０９を制御して、ゴールド印刷ユニット６３の印字ヘッド８１を調査し、異常があるか否かを判定する。
【０１５４】
特殊印刷用印字ヘッドに異常があると判定した場合、ＣＰＵ１０１は、ステップＳ４８に進み、撮影用モニタ２３または編集入力用モニタ３１に特殊印刷用印字ヘッド異常のメッセージを表示する。メッセージを表示したＣＰＵ１０１は、プリンタ検査処理を終了し、図９のステップＳ２に進む。
【０１５５】
また、ステップＳ４７において、特殊印刷用印字ヘッドに異常がないと判定した場合、ＣＰＵ１０１は、プリンタ検査処理を終了し、図９のステップＳ２に進む。
【０１５６】
以上のように、プリンタ検査処理を実行し、プリンタ５２に発生した異常を撮影用モニタ２３または編集入力用モニタ３１に表示することにより、管理者は、容易にプリンタ５２の異常を知ることができる。
【０１５７】
次に、図２４のフローチャートを参照して、編集空間に対して実行される画像編集印刷処理を説明する。
【０１５８】
最初にステップＳ６１において、ＣＰＵ１０１は、編集入力用モニタ３１にでも画面を表示する。
【０１５９】
図２５は、編集入力用モニタ３１に表示されるデモ画面の例を示す図であり、撮影し、編集対象画像として選択された画像が編集入力用モニタ３１に表示されるため、「撮影から始めてね」のメッセージが表示される。
【０１６０】
図２４に戻り、ステップＳ６２において、ＣＰＵ１０１は、表示プロセッサ１１２を制御して、キープ画像データがバス１１０を介してキープ画像記憶部１０７から表示プロセッサ１１２に転送されたか否かを判定し、転送されていないと判定した場合はステップＳ６１に戻り、転送されたと判定するまで待機する。すなわち、撮影に関する処理が終了し、編集に関する処理を開始するとき、ＣＰＵ１０１は、キープ画像記憶部１０７に記憶されているキープ画像を表示プロセッサ１１２に転送させる。ステップＳ６２において、キープ画像データが表示プロセッサ１１２転送されたと判定した場合、ＣＰＵ１０１は、ステップＳ６３に進み、表示プロセッサ１１２を制御して、そのキープ画像データを表示プロセッサ１１２が内蔵するメモリ１１２Ａに記憶させる。
【０１６１】
キープ画像データをメモリ１１２Ａに記憶させたＣＰＵ１０１は、ステップＳ６４において、算出したインクの残量が零か否かを判定することで、特殊印刷用のインクがあるか否かを判定する。インクがあると判定した場合、ＣＰＵ１０１は、ステップＳ６５に進む。
【０１６２】
ステップＳ６５において、ＣＰＵ１０１は、表示プロセッサ１１２を制御し、編集入力用モニタ３１に画像編集画面を表示する。
【０１６３】
図２６は、編集入力用モニタ３１に表示される画像編集画面の例を示す図である。図２６Ａにおいて、画像編集画面１３０は、基本的に、編集対象画像を表示する画像表示欄１３１、ユーザが編集に使用する色を選択する色選択欄１３２、ユーザが操作することにより、入力ツール（書き込みツール）としてペンを選択するペンボタン１３３、ユーザが操作することにより、入力ツールとして文字スタンプを選択する文字スタンプボタン１３４、ユーザが操作することにより、入力ツールとして絵柄スタンプを選択する絵柄スタンプボタン１３５、および、ユーザが操作することにより、入力ツールとして消しゴムを選択する消しゴムボタン１３６により構成される。また、ステップＳ６４において、ＣＰＵ１０１により特殊印刷用のインクがあると判定されているので、色選択欄１３２には、ユーザが操作することにより、特殊印刷されるインクの色である金色を選択する金色選択ボタン１３２Ａが表示される。
【０１６４】
図２４に戻り、ステップＳ６６において、ＣＰＵ１０１は、表示プロセッサ１１２を制御して、タッチパネル１１３からの入力に基づいて、ユーザからタッチペン３３により入力された各種の指示を識別し、それに応じて編集対象画像を編集する。ＣＰＵ１０１は、表示プロセッサ１１２を制御し、例えば、編集対象画像として選択された画像を、２つのフレームバッファに記憶させ、入力された編集を片方のフレームの画像に反映させる。そして、ＣＰＵ１０１は、表示プロセッサ１１２を制御し、その編集が取り消されたとき（消しゴム処理が入力されたとき）、編集が反映されていないフレームの画像（もう片方の画像）の対応する部分のデータを、編集を反映させる画像のフレームに反映することにより、その編集を取り消す。
【０１６５】
ステップＳ６７において、ＣＰＵ１０１は、表示プロセッサ１１２を制御し、タッチパネル１１３からの入力に基づいて編集した画像を編集入力用モニタ３１に表示させる。すなわち、編集入力用モニタ３１には、上述した２つのフレームバッファのうち、編集を反映した方のフレームバッファに記憶されている画像が表示され、ユーザが書き込みをしたとき、その書き込みがリアルタイムで反映されて表示される。
【０１６６】
ステップＳ６８において、ＣＰＵ１０１は、制限時間が経過したか否か、または画像編集画面１３０の終了ボタン（図示せず）が操作されたか否かを判定し、制限時間が経過していない、かつ、終了ボタンが操作されていないと判定した場合、ステップＳ６６に戻り、それ以降の処理を繰り返し実行する。
【０１６７】
制限時間が経過した、またはタッチパネル１１３からの入力に基づいて、終了ボタンが操作されたと判定した場合、ＣＰＵ１０１は、ステップＳ６９に進み、編集済みの画像データを、バス１１０を介してプリンタ５２に転送し、プリンタ制御部１０９を制御して、図１０のステップＳ１４で選択された分割数のシールシートの各シールに通常印刷を行う。
【０１６８】
通常印刷が終了すると、ＣＰＵ１０１は、ステップＳ７０に進み、プリンタ制御部１０９を制御して、通常印刷が行われたシールシートに特殊印刷を行う。特殊印刷が終了すると、ＣＰＵ１０１は、ステップＳ７６に進む。
【０１６９】
また、ステップＳ６４において、特殊印刷用のインクがないと判定した場合、ＣＰＵ１０１は、ステップＳ７１に進み、特殊色アイテムを非表示にして、図２６Ｂに示すような画像編集画面を表示する。
【０１７０】
図２６Ｂにおいて、画像編集画面１３０の色選択欄１３２には、ステップＳ６４においてＣＰＵ１０１により特殊印刷用のインクがあると判定されているので、図２６Ａにおいて表示されていた金色選択ボタン１３２Ａは表示されない。また、画像編集画面１３０の下部にはメッセージ欄１３７が表示され、「インク切れのため金色は使用できません」というメッセージが表示される。これにより、ユーザがインク切れしている金色を選択することが不可能となる。したがって、編集内容と印刷結果が異なることを抑制することができる。
【０１７１】
なお、図２４のステップＳ７１において、図２６Ｃに示されるような画像編集画面１３０を表示するようにしてもよい。図２６Ｃにおいて、色選択欄１３２には図２６Ａと同様に金色選択ボタン１３２Ａが表示されているが、この場合、ＣＰＵ１０１は、ユーザによる金色選択ボタン１３２Ａの操作を受け付けない。そして、図２６Ｂと同様に、メッセージ欄１３７に「インク切れのため金色は使用できません」というメッセージが表示される。このように、ＣＰＵ１０１がユーザによるインク切れした色の選択を受け付けないようにして、その色を選択するボタンを表示するようにしてもよい。
【０１７２】
図２４に戻り、画像編集画面１３０を表示したＣＰＵ１０１は、ステップＳ７２に進み、ステップＳ６６と同様にして、タッチパネルからの入力に基づいて画像を編集し、ステップＳ７３に進み、ステップＳ６７と同様にして、編集した画像をリアルタイムに編集入力用モニタ３１に表示する。
【０１７３】
そして、ＣＰＵ１０１は、ステップＳ７４において、ステップＳ６８と同様に、制限時間が経過したか否か、または画像編集画面１３０の終了ボタンが操作されたか否かを判定し、制限時間が経過していない、かつ、終了ボタンが操作されていないと判定した場合、ステップＳ７１に戻り、それ以降の処理を繰り返し実行する。
【０１７４】
制限時間が経過した、またはタッチパネル１１３からの入力に基づいて、終了ボタンが操作されたと判定した場合、ＣＰＵ１０１は、ステップＳ７５に進み、ステップＳ６９と同様に、編集済みの画像データを、バス１１０を介してプリンタ５２に転送し、プリンタ制御部１０９を制御して、図１０のステップＳ１４で選択された分割数のシールシートの各シールに通常印刷を行う。通常印刷を終了したＣＰＵ１０１は、特殊印刷用のインクが無いので特殊印刷は行わずに、ステップＳ７６に進む。
【０１７５】
ステップＳ７６において、ＣＰＵ１０１は、プリンタ制御部１０９を制御して、印刷されたシールシートをシール取り出し口３４より排出する。ユーザは、輩出されたシールシートを受け取り、編集空間より出場する。
【０１７６】
ステップＳ７６の処理を終了したＣＰＵ１０１は、ステップＳ６１に戻り、それ以降の処理を繰り返す。
【０１７７】
以上のようにして、画像編集印刷処理が実行されることにより、ユーザは、金色等の特殊色がインク切れの場合においても、編集した内容と同じ編集が施された画像が印刷されたシールシートを得ることができる。
【０１７８】
インク切れ、シールシート切れ、またはプリンタ５２の故障等が発生した場合、管理者は、撮影用モニタ２３または編集入力用モニタ３１に表示されている画面により、その異常を知り、インクまたはシールシートの補充や、部品の交換を行う。
【０１７９】
インクやシールシートを補充したり、プリンタ５２の部品を交換したりする場合、管理者は、図２に示されるように蓋部材５１を開き、開口部５０よりプリンタ５２に接近し、それらの作業を行う。補充や交換等の作業が終了した後、管理者は、それらの作業を反映させるために、メンテナンスボタン５３を操作して、ＣＰＵ１０１の処理をメンテナンスモードに移行させる。
【０１８０】
例えば、特殊色である金色のインクを補充した場合、管理者は、金色のインクのリボンシート８４を補充後にメンテナンスボタン５３を操作する。メンテナンスボタン５３が操作されると、ＣＰＵ１０１はメンテナンスモードに移行し、撮影用モニタ２３に図２７に示されるようなメニュー画面を表示する。
【０１８１】
図２７は、撮影用モニタ２３に表示されたメニュー画面の表示例を示す図である。
【０１８２】
図２７において、撮影用モニタ２３に表示されたメニュー画面１４１には、管理者が選択することで各種の設定を行うことができる機能の一覧が表示される。図２７の例では、「設定モード」、「テストモード」、「インカム情報表示」、「データのクリア」、「バージョンアップ」、および「メンテナンスモード」が表示されている。そして、その左にはカーソル１４２が表示されており、管理者は、このカーソル１４２を操作して、表示されている一覧の中から、動作させる機能を選択する。
【０１８３】
管理者が設定モードを選択すると、ＣＰＵ１０１は、撮影用モニタ２３に図２８に示すような設定モード画面を表示する。
【０１８４】
図２８は撮影用モニタ２３に表示される設定モード画面の表示例を示す図である。図２８において、撮影用モニタ２３に表示された設定モード画面１５１には、管理者が選択することで各種の設定を行うことができる機能のさらに詳細な一覧が表示される。図２８の例では、「時刻設定」、「料金設定」、「カメラ設定」、「タイムアウト設定」、「特殊印刷色設定」、および「メニュー画面に戻る」が表示されている。管理者がカーソル１５２を操作して、「特殊印刷色設定」を選択すると、「特殊印刷色設定」の表示を囲むように、管理者が選択したことを示す指示項目表示枠１５３が表示される。そして、「特殊印刷色設定」の右側に「金」、「銀」、および「銅」が表示される。管理者は、カーソル１５２を操作して、これらの色の中から補充したインクの色を選択する。管理者が色を選択すると、ＣＰＵ１０１は、色アイテム設定処理を実行する。
【０１８５】
図２９のフローチャートを参照して、色アイテム設定処理を説明する。
【０１８６】
最初にステップＳ９１において、ＣＰＵ１０１は、設定モード画面１５１において、管理者が指示した印刷色を補充した特殊色に設定する。そして、ステップＳ９２において、特殊色の設定を特殊色アイテムの設定に反映させる。
【０１８７】
図３０は、編集入力用モニタ３１に表示される画像編集画面１３０の他の表示例を示す図である。
【０１８８】
管理者により特殊色が選択され、ＣＰＵ１０１が特殊色アイテムの設定に反映させた場合、画像編集画面１３０は、図３０に示されるように表示される。図３０の例において、色選択欄１３２には、ユーザが操作することにより、図２８に示される設定モード画面１５１において管理者が選択した銀色を選択する銀色選択ボタン１６１が表示されている。すなわち、ユーザは銀色選択ボタン１６１を操作することにより、管理者が補充したインクの色である銀色を選択することができる。
【０１８９】
図２９に戻り、ステップＳ９２の処理を終了したＣＰＵ１０１は、色アイテム設定処理を終了する。
【０１９０】
以上のように構成することにより、ユーザは管理者が補充したインクの色を用いて画像を編集することができ、編集結果と同じ印刷結果を得ることができる。
【０１９１】
なお、上述した特殊色の設定は、上述したリボンシートに付加されているインクＩＤタグ１１７に含まれる色識別情報に基づいて、自動で行うことができるようにしてもよい。その場合、色識別情報がＩＤリーダ／ライタ１１５に読み込まれると、ＣＰＵ１０１は、色アイテム自動設定処理を実行する。
【０１９２】
図３１のフローチャートを参照して、色アイテム自動設定処理を説明する。
【０１９３】
最初にＣＰＵ１０１は、ステップＳ１０１において、補充されたインクのインク情報を取得する。ＣＰＵ１０１は、ＩＤリーダ／ライタ１１５により取得された色識別情報や量情報等のインク情報を取得する。
【０１９４】
ステップＳ１０２において、ＣＰＵ１０１は、取得したインク情報を特殊色アイテムの設定に反映させる。ステップＳ１０２の処理が終了すると、ＣＰＵ１０１は、色アイテム自動設定処理を終了する。
【０１９５】
また、管理者は、図２７に示されるメニュー画面１４１より「テストモード」を選択することで、プリンタ５２の印字テストを行うことができる。管理者が「テストモード」を選択すると、図３２に示されるようなテストモード画面１７１が撮影用モニタ２３に表示される。
【０１９６】
テストモード画面１７１には、各種のテストを実行する機能の一覧が表示されている。図３２の例においては、「スイッチテスト」、「カメラテスト」、「コインセレクタテスト」、「サウンドテスト」、および「印字テスト」が表示されている。
【０１９７】
プリンタ５２の印字テストを行う場合、管理者は、カーソル１７２を操作して、「印字テスト」を選択する。管理者が「印字テスト」を選択すると、その表示を囲むように、管理者がその機能を選択したことを示す指示項目表示枠１７３が表示される。そして、「印字テスト」の表示の右側に、テストを行う色が表示される。図３２の例においては、「金」、「銀」、「銅」、および「フルカラー」が表示されており、管理者は、カーソル１７２を操作して、テスト印刷を行う色を選択する。
【０１９８】
なお、テストモード画面１７１に表示される色は、上述した以外の色であってもよく、表示される色を、インクＩＤタグ１１７の色識別情報に基づいて、ＣＰＵ１０１が制御するようにしてもよい。
【０１９９】
管理者は、テストモード画面１７１に表示された色の中から、補充した色を選択し、テスト印刷を行う。管理者が色を選択すると、ＣＰＵ１０１は、印字テスト処理を実行する。
【０２００】
図３３のフローチャートを参照して、印字テスト処理を説明する。
【０２０１】
最初にＣＰＵ１０１は、ステップＳ１１１において、テストモード画面において、管理者が指示した色をテスト印刷するインクの色に設定する。そして、ステップＳ１１２において、ＣＰＵ１０１は、プリンタ制御部１０９を制御して、指示された色のインクにより印字テストを実行する。
【０２０２】
印字テストを実行したＣＰＵ１０１は、印字テスト処理を終了する。
【０２０３】
以上のように印字テストを行うことにより、印字テストをインクの色毎に行うことができる。
【０２０４】
なお、プリンタ５２の内部の構成例について、図３において説明したが、これに限らず、設置可能であればどのような構成でもよい。
【０２０５】
図３４は、画像印刷装置１の内部に設けられたプリンタ５２の他の構成例を示す図である。
【０２０６】
プリンタ２０１は、図３４に示されるように、画像が印刷されるシールシート２１１、イエロー、マゼンタ、シアン、ブラック、およびゴールドの５色の印刷を行うカラー印刷ユニット２１２、印刷されたシールシート２１１を所定の大きさにカットするカッタ２１３、および、印刷されたシールシート２１１を排出する排出口２１４により構成されている。
【０２０７】
カラー印刷ユニット２１２の印字ヘッド２２１には、搬送通路２１０を隔てた位置からプラテンローラ２２２が対向配置され、圧接されている。また印字ヘッド２２１とプラテンローラ２２２との間には、巻き出しローラ２２５より供給されたリボンシート２２６が挿通されている。印字ヘッド２２１は、例えば、昇華型熱転写用印字ヘッドなどにより構成されている。
【０２０８】
カラー印刷ユニット２１２の印字ヘッド２２３には、搬送通路２１０を隔てた位置からプラテンローラ２２４が対向配置され、圧接されている。また印字ヘッド２２３とプラテンローラ２２４との間には、巻き出しローラ２２５より、印字ヘッド２２１とプラテンローラ２２２の間を介して供給されたリボンシート２２６が挿通されている。印字ヘッド２２３は、例えば、溶融型熱転写用印字ヘッドなどにより構成されている。
【０２０９】
リボンシート２２６は、図３５に示されるように、イエロー（Ｙ）、マゼンタ（Ｍ）、シアン（Ｃ）、およびブラック（Ｋ）からなる昇華型熱転写層、並びにゴールドからなる溶融型熱転写層を、延在方向に順次配列したリボンシートで構成されている。
【０２１０】
これにより、印字ヘッド２２１は、搬送通路２１０に沿って給紙されてきたシールシート２１１に対して、イエロー、マゼンタ、シアン、およびブラックの順で印刷を行うことができ、印字ヘッド２２３は、イエロー、マゼンタ、シアン、およびブラックの４色が印刷されたシールシート２１１に対して、ゴールドの印刷を行うことができる。
【０２１１】
印字ヘッド２２１および２２３によって、イエロー、マゼンタ、シアン、およびブラックの４色、並びにゴールドがシールシート２１１に印刷された後、リボンシート２２６は、巻き取りローラ２２７によって巻き取られる。検知部２２８は、巻き取りローラ２２７のリボンシート２２６の巻き取り状況を検知し、その検知結果をプリンタ制御部１０９に供給する。
【０２１２】
カラー印刷ユニット２１２によって、イエロー、マゼンタ、シアン、ブラック、およびゴールドの印刷が行われたシールシート２１１は、搬送通路２１０に沿って給紙され、カッタ２１３で所定の大きさにカットされた後、排出口２１４から排出される。
【０２１３】
以上のように、イエロー、マゼンタ、シアン、およびブラックの４色の印刷を行う印字ヘッド２２１とゴールドの印刷を行う印字ヘッド２２３を、１つのカラー印刷ユニット２１２内に設けることにより、紙詰まりを引き起こすことなく、かつ、装置を大型化することなく、イエロー、マゼンタ、シアン、ブラック、およびゴールドの印刷を行うことができる。
【０２１４】
また、カラー印刷ユニット２１２内に、２つの印字ヘッド２２１および２２３を設ける以外に、例えば、図３６に示されるように、１つの印字ヘッド３２１に、昇華型熱転写機能および溶融型熱転写機能を兼用させるようにしてもよい。
【０２１５】
図３６は、画像印刷装置１の内部に設けられたプリンタ５２のさらに他の構成例を示す図である。
【０２１６】
プリンタ３０１は、図３６に示されるように、画像が印刷されるシールシート３１１、イエロー、マゼンタ、シアン、ブラック、およびゴールドの５色の印刷を行うカラー印刷ユニット３１２、印刷されたシールシート３１１を所定の大きさにカットするカッタ３１３、および、印刷されたシールシート３１１を排出する排出口３１４により構成されている。
【０２１７】
カラー印刷ユニット３１２の印字ヘッド３２１には、搬送通路３１０を隔てた位置からプラテンローラ３２２が対向配置され、圧接されている。また印字ヘッド３２１とプラテンローラ３２２との間には、巻き出しローラ３２３より供給されたリボンシート３２４が挿通されている。印字ヘッド３２１は、印刷時の温度条件を、イエロー、マゼンタ、シアン、およびブラックの印刷時と、ゴールドの印刷時とでそれぞれ調整（変更）することにより実現する。
【０２１８】
リボンシート３２４は、図３５に示されるように、イエロー（Ｙ）、マゼンタ（Ｍ）、シアン（Ｃ）、およびブラック（Ｋ）からなる昇華型熱転写層、並びにゴールドからなる溶融型熱転写層を、延在方向に順次配列したリボンシートで構成されている。
【０２１９】
これにより、印字ヘッド３２１は、搬送通路３１０に沿って給紙されてきたシールシート３１１に対して、イエロー、マゼンタ、シアン、ブラック、およびゴールドの順で印刷を行うことができる。
【０２２０】
印字ヘッド３２１によって、イエロー、マゼンタ、シアン、ブラック、およびゴールドの５色がシールシート３１１に印刷された後、リボンシート３２４は、巻き取りローラ３２５によって巻き取られる。検知部３２６は、巻き取りローラ３２５のリボンシート３２４の巻き取り状況を検知し、その検知結果をプリンタ制御部１０９に供給する。
【０２２１】
カラー印刷ユニット３１２によって、イエロー、マゼンタ、シアン、ブラック、およびゴールドの印刷が行われたシールシート３１１は、搬送通路３１０に沿って給紙され、カッタ３１３で所定の大きさにカットされた後、排出口３１４から排出される。
【０２２２】
以上のように、イエロー、マゼンタ、シアン、ブラック、およびゴールドの５色の印刷を１つの印字ヘッド３２１によって行うことにより、紙詰まりを引き起こすことなく、かつ、装置を大型化することなく、イエロー、マゼンタ、シアン、ブラック、およびゴールドの印刷を行うことができる。
【０２２３】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０２２４】
以上において、印刷媒体は、シールシートに限られるものではなく、例えば、所定のサイズの紙や、ポスター用の紙、テレホンカードなどのカード、あるいは、Ｔシャツなどの布地などに印刷するようにしてもよい。
【０２２５】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２２６】
【発明の効果】
以上のように、本発明の画像印刷装置および方法、印刷媒体、並びにプログラムによれば、インク切れやプリンタの印字ヘッドが故障した場合において、管理者は容易にその異常を知ることができ、また、ユーザはＧＵＩ画面を用いて編集した画像と同じ画像が印刷されたシールシートを得ることができる。
【図面の簡単な説明】
【図１】本発明を適用した画像印刷装置の構成例を示す斜視図である。
【図２】プリンタ保守のために蓋部材を開いた状態を示す要部斜視図である。
【図３】プリンタの内部の構成例を示す図である。
【図４】図３のリボンシートの構成例を示す図である。
【図５】図１の画像印刷装置の配置例を示す図である。
【図６】撮影空間における各装置の配置例を示す図である。
【図７】図５を上方から見た場合の配置例を示す図である。
【図８】図１の画像印刷装置の内部の構成例を示すブロック図である。
【図９】図１の画像印刷装置の画像撮影処理について説明するフローチャートである。
【図１０】図１の画像印刷装置の画像撮影処理について説明する図９に続くフローチャートである。
【図１１】撮影用モニタに表示されるデモ画面の例を示す図である。
【図１２】撮影用モニタに表示される説明画面の例を示す図である。
【図１３】撮影用モニタに表示される説明画面の他の例を示す図である。
【図１４】撮影用モニタに表示される撮影画面の例を示す図である。
【図１５】撮影用モニタに表示される画像確認画面の例を示す図である。
【図１６】図９のステップＳ１２で撮影用モニタに表示される明るさ調整画面の例を示す図である。
【図１７】図１０ステップＳ１４で撮影用モニタに表示される分割数選択画面の例を示す図である。
【図１８】図１０のステップＳ１６において撮影用モニタに表示される選択画面の例を示す図である。
【図１９】撮り直す画像の選択画面の例を示す図である。
【図２０】撮影用モニタに表示されるゲーム画面（もぐら叩き画面）の例を示す図である。
【図２１】図１０において、ステップＳ２４において表示される案内画面の例を示す図である。
【図２２】図９のステップＳ１において実行されるプリンタ検査処理の詳細を説明するフローチャートである。
【図２３】インクＩＤタグのメモリの構成例を示す模式図である。
【図２４】編集空間に対して実行される画像編集印刷処理を説明するフローチャートである。
【図２５】編集入力用モニタに表示されるデモ画面の例を示す図である。
【図２６】編集入力用モニタに表示される画像編集画面の例を示す図である。
【図２７】撮影用モニタに表示されたメニュー画面の表示例を示す図である。
【図２８】撮影用モニタに表示される設定モード画面の表示例を示す図である。
【図２９】色アイテム設定処理を説明するフローチャートである。
【図３０】編集入力用モニタに表示される画像編集画面の他の表示例を示す図である。
【図３１】色アイテム自動設定処理を説明するフローチャートである。
【図３２】撮影用モニタに表示されるテストモード画面の表示例を示す図である。
【図３３】印字テスト処理を説明するフローチャートである。
【図３４】画像印刷装置の内部に設けられたプリンタの他の構成例を示す図である。
【図３５】図３４のリボンシートの構成例を示す図である。
【図３６】画像印刷装置の内部に設けられたプリンタのさらに他の構成例を示す図である。
【符号の説明】
１  画像印刷装置
２３  撮影用モニタ
３１  編集入力用モニタ
３４  シール取り出し口
４１  撮影装置
５２  プリンタ
５３  メンテナンスボタン
７１  印字ヘッド
７４  リボンシート
８１  印字ヘッド
８４  リボンシート
１０１  ＣＰＵ
１０７  キープ画像記憶部
１０９  プリンタ制御部
１１２  表示プロセッサ
１１３  タッチパネル
１１５  ＩＤリーダ／ライタ
１１６  用紙タグ
１１７  インクＩＤタグ
２０１  プリンタ
２２１，２２３  印字ヘッド
２２６  リボンシート
３０１  プリンタ
３２１  印字ヘッド
３２４  リボンシート
【図１】
0003565270.tif 000002
【図２】
0003565270.tif 000003
【図３】
0003565270.tif 000004
【図４】
0003565270.tif 000005
【図５】
0003565270.tif 000006
【図６】
0003565270.tif 000007
【図７】
0003565270.tif 000008
【図８】
0003565270.tif 000009
【図９】
0003565270.tif 000010
【図１０】
0003565270.tif 000011
【図１１】
0003565270.tif 000012
【図１２】
0003565270.tif 000013
【図１３】
0003565270.tif 000014
【図１４】
0003565270.tif 000015
【図１５】
0003565270.tif 000016
【図１６】
0003565270.tif 000017
【図１７】
0003565270.tif 000018
【図１８】
0003565270.tif 000019
【図１９】
0003565270.tif 000020
【図２０】
0003565270.tif 000021
【図２１】
0003565270.tif 000022
【図２２】
0003565270.tif 000023
【図２３】
0003565270.tif 000024
【図２４】
0003565270.tif 000025
【図２５】
0003565270.tif 000026
【図２６】
0003565270.tif 000027
【図２７】
0003565270.tif 000028
【図２８】
0003565270.tif 000029
【図２９】
0003565270.tif 000030
【図３０】
0003565270.tif 000031
【図３１】
0003565270.tif 000032
【図３２】
0003565270.tif 000033
【図３３】
0003565270.tif 000034
【図３４】
0003565270.tif 000035
【図３５】
0003565270.tif 000036
【図３６】
0003565270.tif 000037